(57)【要約】      （修正有）【課題】簡易な構成で屋外での調理に適しており、従来にない新しい調理を行うことができる加熱調理器を提供する。【解決手段】加熱調理器１は、有底筒状の容器１１、及び容器の開口１１ｅを閉鎖する蓋体１２を有し、容器及び蓋体の少なくとも一方に通気孔１５が貫設されている調理器本体１０と、網体またはパンチングメタルで筒状に形成された多孔筒部２１を有し、多孔筒部の軸方向を容器の軸方向と平行にし、容器の内周面と多孔筒部との間に空隙をあけた状態で、容器の内部に配置されている燃料保持具２０と、を具備する。調理を行う場合は、食材を支持している串を多孔筒部の周囲に配置する。食材から出た水蒸気が調理器本体の内部に滞留した状態で食材が加熱されるため、屋外での調理では行われて来なかった“蒸し焼き”で、食材を調理することができる。【選択図】図１
0003222438.tif 000002
【実用新案登録請求の範囲】
【請求項１】
有底筒状の容器、及び、該容器の開口を閉鎖する蓋体を有し、前記容器の周壁及び前記蓋体の少なくとも一方に通気孔が貫設されている調理器本体と、
網体またはパンチングメタルで筒状に形成された多孔筒部を有し、該多孔筒部の軸方向を前記容器の軸方向と平行にし、前記容器の内周面と前記多孔筒部との間に空隙をあけた状態で、前記容器の内部に配置されている燃料保持具と
を具備することを特徴とする加熱調理器。
【請求項２】
前記燃料保持具は、前記多孔筒部の下端から前記多孔筒部の軸方向に対して略直交する方向に延出している延出部を有している
ことを特徴とする請求項１に記載の加熱調理器。
【請求項３】
前記延出部は、前記容器の内周面に当接している
ことを特徴とする請求項２に記載の加熱調理器。
【考案の詳細な説明】
【技術分野】
【０００１】
本考案は、屋外での使用に適した加熱調理器に関するものである。
【背景技術】
【０００２】
キャンプ場や川辺など屋外で調理をする場合、一般的には、薪や木炭などをくべた炉に網や鉄板などを載せ、その上で食材を加熱するグリル式の調理や、串に刺した食材を火で直接的に加熱する直火焼き式の調理が行われている。
【０００３】
このような昔ながらの調理法は、複雑な調理器具を要しない利点があるが、レジャーに多様性を求める需要者からは、従来なかった新しい調理で食事を楽しみたいとの要請があった。
【考案の概要】
【考案が解決しようとする課題】
【０００４】
そこで、本考案は、上記の実情を鑑み、簡易な構成で屋外での調理に適しており、従来にない新しい調理を行うことができる加熱調理器の提供を、課題とする。
【課題を解決するための手段】
【０００５】
上記課題を解決するため、本考案にかかる加熱調理器は、
「有底筒状の容器、該容器の開口を閉鎖する蓋体を有し、前記容器の周壁及び前記蓋体の少なくとも一方に通気孔が貫設されている調理器本体と、
網体またはパンチングメタルで筒状に形成された多孔筒部を有し、該多孔筒部の軸方向を前記容器の軸方向と平行にし、前記容器の内周面と前記多孔筒部との間に空隙をあけた状態で、前記容器の内部に配置されている燃料保持具と
を具備する」ものである。
【０００６】
調理器本体は、金属製、セラミックス製、金属の表面に釉を焼き付けたホウロウ製とすることができる。
【０００７】
通気孔は、容器の周壁にのみ形成されていても、蓋体のみに形成されていても、容器の周壁と蓋体の双方に形成されていても良い。
【０００８】
燃料保持具の多孔筒部は、その内部に木炭や薪などの燃料を保持させるための構成である。多孔筒部は、網体またはパンチングメタルで形成されているため、燃料の燃焼による熱が、網体の隙間やパンチングメタルの孔を介して多孔筒部の周囲に伝えられる。
【０００９】
本構成の加熱調理器を使用して調理を行う場合は、容器の内部に配置された燃料保持具の多孔筒部と、容器の内周面との間の空隙に砂を敷く。この砂の層に、食材を刺し通した串の下端を挿し込むことにより、食材を支持している串を多孔筒部の周囲に配置する。そして、多孔筒部に保持させた木炭、薪などの燃料に火を付け、容器の開口を蓋体で閉鎖する。
【００１０】
これにより、食材から出た水蒸気が調理器本体の内部に滞留した状態で食材が加熱されるため、従来では屋外での調理では行われて来なかった“蒸し焼き”で、食材を調理することができる。また、容器及び蓋体を有する調理器本と、その内部に配置された燃料保持具という非常に簡易な構成の加熱調理器であり、屋外での使用に適している。
【００１１】
本考案にかかる加熱調理器は、上記構成に加え、
「前記燃料保持具は、前記多孔筒部の下端から前記多孔筒部の軸方向に対して略直交する方向に延出している延出部を有している」ものとすることができる。
【００１２】
多孔筒部は、その軸方向を容器の軸方向と平行にして容器の内部に配置されるものであるため、換言すれば、筒部の一端を上方に開口させた状態で、容器の内部に立設されるものである。本構成では、多孔筒部の下端から延出部が延出しており、その方向は多孔筒部の軸方向に対して略直交する方向であるため、容器の内部に立設された多孔筒部の姿勢が安定したものとなる。
【００１３】
本考案にかかる加熱調理器は、上記構成に加え、
「前記延出部は、前記容器の内周面に当接している」ものとすることができる。
【００１４】
本構成では、延出部が容器の内周面に当接する構成であるため、燃料保持具を容器の内部に配置するだけで、自ずと容器の内周面と多孔筒部との間に、延出部の長さ分だけ空隙があいた状態となる。そのため、容器の内周面との間に空隙があくように、意図して多孔筒部の位置調整をする必要がなく、調理の準備が容易である。
【考案の効果】
【００１５】
以上のように、本考案によれば、簡易な構成で屋外での調理に適しており、従来にない新しい調理を行うことができる加熱調理器を、提供することができる。
【図面の簡単な説明】
【００１６】
【図１】本考案の一実施形態である加熱調理器の分解斜視図である。
【図２】図１の加熱調理器の使用状態における縦断面図である。
【図３】（ａ）変更例の燃料保持具の斜視図であり、（ｂ）変更例の多孔筒部の斜視図である。
【図４】変更例の加熱調理器の分解斜視図である。
【考案を実施するための形態】
【００１７】
以下、本考案の具体的な実施形態である加熱調理器１について、図１乃至図３を用いて説明する。加熱調理器１は、調理器本体１０と燃料保持具２０とを備えている。
【００１８】
調理器本体１０は、有底筒状の容器１１と、その開口１１ｅを閉鎖する蓋体１２とを有しており、それぞれ金属製である。本実施形態の容器１１は、周壁が円筒状であり、蓋体１２は容器１１の開口１１ｅに合致する大きさの円盤状である。容器１１はＵ字形のハンドル１９を有しており、ハンドル１９の両端は、開口１１ｅ近傍の周壁において、容器１１の軸方向に直交する軸周りに回動可能に取り付けられている。
【００１９】
調理器本体は、容器の周壁及び蓋体の少なくとも一方に通気孔を有するが、本実施形態の調理器本体１０は容器１１の周壁と蓋体１２の双方に通気孔１５を有している。容器１１の周壁には複数の通気孔１５が等間隔で貫設されていると共に、蓋体１２にはその中央に一つの通気孔１５が貫設されている。ここで、通気孔１５を介した空気の流通量が多いと、調理器本体１０内部での燃焼が速く進行し過ぎて、食材の表面だけが加熱されてしまう。一方、通気孔１５を介した空気の流通量が少ないと、燃焼に必要な酸素が不足し、火が消えてしまう。そのため、通気孔１５の大きさ及び数は、容器１１の容量や、使用する燃料の種類に応じて設定される。
【００２０】
なお、本実施形態の調理器本体１０は、一般的にオイルや塗料などの液体を収容させるために使用される、１８リットル〜２０リットルの金属缶（ペール缶）に、通気孔１５を貫設することにより形成されている。
【００２１】
燃料保持具２０は、筒状の多孔筒部２１と、多孔筒部２１の下端から延出している延出部２２を有している。本実施形態での多孔筒部２１は、金属の網体で円筒状に形成されている。延出部２２も金属の網体で形成されており、本実施形態では略四角形の延出部２２を三つ有している。それぞれの延出部２２は、多孔筒部２１の軸方向に対して略直交する方向に延出していると共に、多孔筒部２１の中心軸に対して等角度間隔に配置されている。
【００２２】
加えて、各延出部２２は、その先端に上方に向かって屈曲した屈曲部２２ｂを有しており、多孔筒部２１の中心軸から屈曲部２２ｂまでの距離は、円筒状の容器１１の周壁の内径円の半径に略等しく設定されている。これにより、多孔筒部２１の軸方向が容器１１の軸方向と平行になる向きで、燃料保持具２０を容器１１の内部に挿入すると、各屈曲部２２ｂが容器１１の内周面と当接し、自ずと多孔筒部２１の軸方向が容器１１の中心軸と一致する。つまり、意図的に位置を調整しなくても、燃料保持具２０が容器１１の中央に配置される。
【００２３】
上記構成の加熱調理器１を使用して調理を行う場合は、上記のようにして容器１１の中央に配置された多孔筒部２１と容器１１の内周面との間に、砂を敷く。砂の層５１の厚さは、数センチメートル〜１０センチメートルとすると良く、図２に示すように、多孔筒部２１の下端及び延出部２２を砂の層５１に埋設しても良い。
【００２４】
この砂の層５１に、食材を刺した串５２の下端を刺し込めば、食材を支持している串５２を、容器１１の内部において多孔筒部２１の周囲に配置することができる。
【００２５】
そして、多孔筒部２１の内部に収容した木炭や薪などの燃料５３に火を付け、容器１１の開口１１ｅを蓋体１２で閉鎖する。このようにすると、食材から出た水蒸気が調理器本体１０の内部に滞留した状態で食材が加熱されるため、従来は屋外での調理では行われて来なかった“蒸し焼き”で、食材を調理することができる。
【００２６】
蒸し焼きでは、グリル式や直火焼き式の調理とは異なり、食材の表面が焦げることがなく、食材の水分が抜けて食材の身が引き締まり、うま味を凝縮させることができる。
【００２７】
そして、容器１１の開口１１ｅを蓋体１２で閉鎖することにより、燃焼のために必要な通気孔１５を除けば、調理器本体１０の内部はほぼ密閉状態となる。そのため、多孔筒部２１に保持された燃料５３による加熱を、食材の調理に効率良く使用して、短時間で調理を行うことができる。例えば、串に刺した鮎を囲炉裏で焼く場合、開放系での加熱であるため約一時間を要するのに対し、本実施形態の加熱調理器１では、３０分足らずで鮎を蒸し焼きにすることができる。また、鮎を囲炉裏で焼く場合は、一方向からの加熱であるため、鮎を全体的に焼くためには串を頻繁に回転させる必要があった。これに対し、加熱調理器１では、容器１１の開口１１ｅが蓋体１２で閉鎖されていることに加え、通気孔１５を介して外気が流通することから、調理器本体１０の内部で熱い空気の対流が生じるため、串５２を一度回転させて鮎の表裏を反転させる程度で、全体を均一に加熱することができる。
【００２８】
以上のように、本実施形態の加熱調理器１によれば、従来は屋外での調理では行われて来なかった“蒸し焼き”で調理を行い、同じ食材であってもグリル式や直火焼き式で調理された場合とは異なる味を、楽しむことができる。
【００２９】
また、加熱調理器１による調理の手順は、多孔筒部２１と容器１１の内周面との間に砂を敷いて、食材を刺し通した串５２の下端を砂に挿し込み、多孔筒部２１に保持させた木炭などの燃料に火を付けて容器１１を蓋体１２で閉鎖するという、極めて容易なものである。そのため、加熱調理器１は、屋外での調理に適している。
【００３０】
更に、加熱調理器１は、容器１１と蓋体１２を有する調理器本体１０と燃料保持具２０とからなる非常にシンプルな構成である。そのため、加熱調理器１は、低コストで簡易に製造することができる。特に、本実施形態では、ペール缶に通気孔１５を設けて調理器本体１０を形成しており、入手しやすい市販品を利用して簡易に製造できる利点を有している。
【００３１】
また、本実施形態の加熱調理器１はハンドル１９を有しているため、可搬性に優れている。
【００３２】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３３】
例えば、上記では、燃料保持具２０が延出部２２を有している場合を例示したが、図３（ａ）に示すように、延出部２２を除き多孔筒部２１のみからなる構成の燃料保持具２０とすることができる。延出部２２を有しない燃料保持具２０であっても、多孔筒部２１の下端を砂に埋設することにより、その姿勢を安定させることができる。
【００３４】
また、多孔筒部２１は円筒状である場合に限定されず、図３（ｂ）に示すように、円錐台形状の多孔筒部２１とすることができる。このような形状とすることにより、必ずしも下端を砂に埋設しなくても、多孔筒部２１の姿勢を安定させることができる。
【００３５】
また、上記では、容器１１が有底円筒状である場合を例示したが、円筒以外の筒状とすることができる。例えば、図４に示すように、有底の四角筒状の容器１１とすることができる。容器は、有底円筒状である方が内部の熱分布が均一となるようにも思われるが、上述したように、容器１１の開口１１ｅを蓋体１２で閉鎖することにより、調理器本体１０の内部空間は通気孔１５を介した空気の流通を除いてほぼ密閉状態であるため、容器１１の形状によらず、食材を均一に加熱して蒸し焼きをすることができる。
【００３６】
なお、図４では、多孔筒部２１も四角筒状とし、多孔筒部２１の下端では各辺から計四つの延出部２２が延出している場合を例示している。このような形状とすることにより、延出部２２の先端を四角筒状の容器１１の内周面と当接させ易い。なお、図４に示すように、延出部２２が屈曲部２２ｂを備えなくても、その先端を容器１１の内周面に当接させることができるが、屈曲部２２ｂを設ければ容器１１の内周面と当接する面積が増大し、燃料保持具２０の姿勢が安定するためより好適である。
【００３７】
また、上記の実施形態では、食材が鮎である場合の調理に言及すると共に、食材が魚である場合を図２に例示したが、これに限定されず、肉や野菜など種々の食材を、串５２に刺して燃料保持具２０の周囲に配置し、蒸し焼きにすることができる。
【符号の説明】
【００３８】
１  加熱調理器
１０  調理器本体
１１  容器
１１ｅ  開口
１２  蓋体
１５  通気孔
２０  燃料保持具
２１  多孔筒部
２２  延出部
２２ｂ  屈曲部
【図１】
0003222438.tif 000003
【図２】
0003222438.tif 000004
【図３】
0003222438.tif 000005
【図４】
0003222438.tif 000006